(57)【要約】【課題】チャンネル設定作業を簡素化する技術、および、今いる場所はエリアワンセグサービスを提供している場所であるとユーザに報知する技術を提供する。【解決手段】基地局１０は、自基地局のカバーエリア内において放送される放送番組を紹介する放送番組紹介情報および当該放送番組に係るチャンネル設定情報を含む放送サービス提供情報を送信し、移動局２０は、放送サービス提供情報を受信する放送サービス提供情報受信部１００と、放送番組紹介情報を表示する放送番組紹介情報表示部１２０と、放送番組紹介情報によって紹介された放送番組を指定する操作を受け付ける放送番組指定受付部１３０と、放送番組を指定する操作が受け付けられた場合に、当該放送番組に係るチャンネル設定情報に基づいて当該放送番組を受信する放送番組受信部１４０とを備える。【選択図】図４
2010166153.tif 000002
【特許請求の範囲】
【請求項１】
基地局と、
前記基地局と通信する移動局と
から構成される無線通信システムであって、
前記基地局は、
自基地局のカバーエリア内において放送される放送番組を紹介する放送番組紹介情報および当該放送番組に係るチャンネル設定情報を含む放送サービス提供情報を送信し、
前記移動局は、
前記基地局から前記放送サービス提供情報を受信する放送サービス提供情報受信部と、
前記放送サービス提供情報に含まれる前記放送番組紹介情報を表示する放送番組紹介情報表示部と、
前記放送番組紹介情報表示部に表示された前記放送番組紹介情報によって紹介された放送番組を指定する操作を受け付ける放送番組指定受付部と、
前記放送番組指定受付部によって放送番組を指定する操作が受け付けられた場合に、当該放送番組に係る前記チャンネル設定情報に基づいて当該放送番組を受信する放送番組受信部と
を備えることを特徴とする無線通信システム。
【請求項２】
前記放送サービス提供情報受信部は、
前記基地局から受信した前記放送サービス提供情報を記憶部に記憶し、
前記放送番組指定受付部は、
放送番組を指定する操作として前記放送番組紹介情報を選択する操作を受け付け、
前記放送番組受信部は、
前記放送番組指定受付部によって前記放送番組紹介情報を選択する操作が受け付けられた場合に、前記記憶部に記憶された前記放送サービス提供情報に含まれる前記チャンネル設定情報であって、前記放送番組指定受付部によって選択された前記放送番組紹介情報を含む前記放送サービス提供情報に含まれる前記チャンネル設定情報に基づいて当該放送番組を受信することを特徴とする請求項１に記載の無線通信システム。
【請求項３】
前記基地局は、
前記移動局にマルチキャスト／ブロードキャストによって前記放送サービス提供情報を送信することを特徴とする請求項１または請求項２の何れか１項に記載の無線通信システム。
【請求項４】
前記無線通信システムは、
前記放送サービス提供情報を受信する会員に係る会員情報を記憶する会員情報記憶装置を更に備え、
前記基地局は、
前記会員情報記憶装置に記憶された会員情報を参照し、前記会員の使用する前記移動局にユニキャストによって前記放送サービス提供情報を送信することを特徴とする請求項1または請求項２の何れか１項に記載の無線通信システム。
【請求項５】
前記放送番組は、エリアワンセグサービスによって提供される放送番組であることを特徴とする請求項1または請求項２の何れか１項に記載の無線通信システム。
【請求項６】
基地局と通信する移動局であって、
前記基地局から前記基地局のカバーエリア内において放送される放送番組を紹介する放送番組紹介情報および当該放送番組に係るチャンネル設定情報を含む放送サービス提供情報を受信する放送サービス提供情報受信部と、
前記放送サービス提供情報に含まれる前記放送番組紹介情報を表示する放送番組紹介情報表示部と、
前記放送番組紹介情報表示部に表示された前記放送番組紹介情報によって紹介された放送番組を指定する操作を受け付ける放送番組指定受付部と、
前記放送番組指定受付部によって放送番組を指定する操作が受け付けられた場合に、当該放送番組に係る前記チャンネル設定情報に基づいて当該放送番組を受信する放送番組受信部と
を備えることを特徴とする移動局。
【発明の詳細な説明】
【技術分野】
【０００１】
本発明は、無線通信システムおよび移動局に関する。
【背景技術】
【０００２】
近年、地上デジタル放送の移動端末向けサービス、いわゆるワンセグの仕組みを活用し、ある特定の範囲内においてのみ視聴可能なオリジナル情報を移動端末向けサービスとして配信するエリアワンセグサービスに関する検討が進められている。エリアワンセグサービスでは、一般の放送のような広い放送エリア（例えば、数１０ｋｍ以上、具体的には、県域、関東一円など）ではなく、狭い放送エリア（例えば、数１０ｍから高々１、２ｋｍ程度、具体的には、駅構内、イベント施設など）を設定し、狭いそれぞれのエリアに特化した情報を配信する。例えば、駅構内をエリアに設定し、当該駅構内において有用な情報（例えば、列車遅延情報、観光案内情報、構内イベント情報）や当該駅の利用者に対する付加価値情報（例えば、天気予報情報）などを配信することができる。
【０００３】
エリアワンセグサービスによって提供される放送（以下、「エリアワンセグ放送」という）の仕組みは、普及が進むワンセグ受信移動端末を用いる新たな仕組みとして注目を集めている。しかし、ワンセグチューナ付き携帯電話などのワンセグ受信移動端末において、エリアワンセグ放送を視聴する際は、エリアワンセグ放送を視聴する前に、ワンセグ受信移動端末のチャンネル設定機能を利用してエリアワンセグ放送のチャンネル設定作業（放送周波数と放送局名・リモコン番号などを紐付ける作業）を行う必要がある。ワンセグ受信移動端末は、初めからエリアワンセグ放送のチャンネルが設定されていないからである。現在、ワンセグ受信移動端末に標準的に搭載されているチャンネル設定機能は、オート設定機能、マニュアル設定機能、放送波スキャン機能である。
【０００４】
オート設定機能は、ワンセグ受信移動端末の位置情報をチャンネルリスト管理サーバに通知し、当該位置情報から特定されるエリアに対応するチャンネルリストをチャンネルリスト管理サーバから受信し、チャンネル設定作業を行うという機能である。オート設定機能において現在運用されているチャンネルリストは、都道府県単位の放送局リストである。つまり、エリアワンセグ放送のように多数の狭いエリアに対応する放送のチャンネルリストは運用されていない。
【０００５】
マニュアル設定機能は、ワンセグ受信移動端末内に予め県域単位のチャンネルリストを登録しておき、ユーザが複数のチャンネルリストの中から現在地（県域）を選択し、チャンネル設定作業を行うという機能である。マニュアル設定機能は、放送エリアが県域単位のように広い場合であって、かつ、番組編成の変更の頻度が少ない場合に有効である。しかし、エリアワンセグ放送の場合、放送エリアが狭く、かつ、番組編成の変更も頻度も多いと予想され、更に、放送エリア数も非常に多くなると予想されるため、エリアワンセグ放送のチャンネルリストをワンセグ受信移動端末内に予め登録しておくことは、現実的に困難である。
【０００６】
放送波スキャン機能は、当該ワンセグ受信移動端末の位置するエリアにおいて受信可能な放送をスキャンして当該エリアに対応するチャンネルリストを生成し、チャンネル設定作業を行うという機能である。しかし、ＵＨＦ帯全を全てスキャンするため、スキャン完了迄に数分を要し、ユーザの利便性の観点から鑑みて有用とはいえない。
【０００７】
また、上述のオート設定機能のエリアワンセグ放送への適用を試みる技術も提案されている（例えば、特許文献１参照）。特許文献１に記載の技術は、携帯電話の通信網を利用して端末の位置情報を遠隔のデータベースサーバに伝えるとともに、その位置に存在するローカル放送局の放送周波数をサーバから取得することで、当該地域の放送周波数を簡便に設定しようとするものである。更に、上記技術の他、携帯端末のＦｅｌｉｃａ等の近距離通信デバイスを利用する技術（ワンタッチで設定用サイトへ誘導し、チャンネル設定済みの状態でワンセグアプリを立ち上げる技術）も提案されている。
【先行技術文献】
【特許文献】
【０００８】
【特許文献１】特開２００８−２１９１１２号公報
【発明の概要】
【発明が解決しようとする課題】
【０００９】
しかしながら、特許文献１に記載の技術は、チャンネル設定作業を十分に簡素化していないという問題がある。つまり、ユーザは、能動的（主体的）に位置情報を送信しなければならないという問題がある。近距離通信デバイスを利用する技術についてもタッチを要するため同様である。また、上述のチャンネル設定作業（位置情報送信、タッチ）は、「今いる場所はエリアワンセグサービスを提供している場所である」と認識しているユーザによってなされるが、「今いる場所はエリアワンセグサービスを提供している場所である」とユーザに簡便に報知する手段がないという問題もある。
【００１０】
本発明は、このような事情に鑑みてなされたものであり、チャンネル設定作業を十分に簡素化することができる技術を提供するとともに、今いる場所はエリアワンセグサービスを提供している場所であるとユーザに簡便に報知することができる技術を提供することを目的とする。
【課題を解決するための手段】
【００１１】
上記問題を解決するために、本発明の一態様である無線通信システムは、基地局と、基地局と通信する移動局とから構成される無線通信システムであって、基地局は、自基地局のカバーエリア内において放送される放送番組を紹介する放送番組紹介情報および当該放送番組に係るチャンネル設定情報を含む放送サービス提供情報を送信し、移動局は、基地局から放送サービス提供情報を受信する放送サービス提供情報受信部と、放送サービス提供情報に含まれる放送番組紹介情報を表示する放送番組紹介情報表示部と、放送番組紹介情報表示部に表示された放送番組紹介情報によって紹介された放送番組を指定する操作を受け付ける放送番組指定受付部と、放送番組指定受付部によって放送番組を指定する操作が受け付けられた場合に、当該放送番組に係るチャンネル設定情報に基づいて当該放送番組を受信する放送番組受信部とを備えることを特徴とする。
【００１２】
上記無線通信システムにおいて、放送サービス提供情報受信部は、基地局から受信した放送サービス提供情報を記憶部に記憶し、放送番組指定受付部は、放送番組を指定する操作として放送番組紹介情報を選択する操作を受け付け、放送番組受信部は、放送番組指定受付部によって放送番組紹介情報を選択する操作が受け付けられた場合に、記憶部に記憶された放送サービス提供情報に含まれるチャンネル設定情報であって、放送番組指定受付部によって選択された放送番組紹介情報を含む放送サービス提供情報に含まれるチャンネル設定情報に基づいて当該放送番組を受信してもよい。
【００１３】
上記無線通信システムにおいて、基地局は、移動局にマルチキャスト／ブロードキャストによって放送サービス提供情報を送信してもよい。
【００１４】
上記無線通信システムは、放送サービス提供情報を受信する会員に係る会員情報を記憶する会員情報記憶装置を更に備え、基地局は、会員情報記憶装置に記憶された会員情報を参照し、会員の使用する移動局にユニキャストによって放送サービス提供情報を送信してもよい。
【００１５】
上記放送番組は、エリアワンセグサービスによって提供される放送番組であってもよい。
【００１６】
上記問題を解決するために、本発明の他の態様である移動局は、基地局と通信する移動局であって、基地局から基地局のカバーエリア内において放送される放送番組を紹介する放送番組紹介情報および当該放送番組に係るチャンネル設定情報を含む放送サービス提供情報を受信する放送サービス提供情報受信部と、放送サービス提供情報に含まれる放送番組紹介情報を表示する放送番組紹介情報表示部と、放送番組紹介情報表示部に表示された放送番組紹介情報によって紹介された放送番組を指定する操作を受け付ける放送番組指定受付部と、放送番組指定受付部によって放送番組を指定する操作が受け付けられた場合に、当該放送番組に係るチャンネル設定情報に基づいて当該放送番組を受信する放送番組受信部とを備えることを特徴とする。
【発明の効果】
【００１７】
本発明によれば、今いる場所はエリアワンセグサービスを提供している場所であるとユーザに簡便に報知することができる。つまり、基地局が、放送サービス提供情報を送信することによって、放送サービス提供情報に含まれる放送番組紹介情報が移動局の画面上に表示されるため、ユーザは、今いる場所はエリアワンセグサービスを提供している場所であると認識することができる。また、ユーザによるチャンネル設定作業を十分に簡素化することができる。つまり、ユーザは、画面上に表示された放送番組紹介情報によって紹介された放送番組を指定（例えばクリック1回）するだけで、当該放送番組に係るチャンネル設定情報に基づいて当該放送番組を受信することができる。更に、放送番組紹介情報をユーザが選択しなければ、不要なバックグラウンド処理（チャンネル設定機能）が動作しなくなるため、電力消費を抑えることができる。
【図面の簡単な説明】
【００１８】
【図１】本発明の一実施形態による無線通信システム１の模式図である。
【図２】放送サービス提供情報の一例である。
【図３】ワンセグ受信機２０に表示される情報の一例である。
【図４】ワンセグ受信機２０の機能ブロック図の一例である。
【図５】ワンセグ受信機２０の動作の一例を示すフローチャートである。
【図６】基地局カバーエリア間移動時におけるメモリ１１０内のチャンネル設定情報の変化について説明するための図である。
【図７】本発明の他の実施形態による無線通信システム２の模式図である。
【発明を実施するための形態】
【００１９】
以下、本発明の実施形態について図面を参照して詳細に説明する。図１は、本発明の一実施形態による無線通信システムの模式図である。図２は、放送サービス提供情報の一例である。図３は、ワンセグ受信機２０に表示される情報の一例である。図１において、１０は基地局、２０はワンセグ受信機（本発明の移動局に相当する）、３０はエリアワンセグ送信機である。無線通信システム１は、基地局１０およびワンセグ受信機２０から構成される。
【００２０】
エリアワンセグ送信機３０は、エリアワンセグ放送のカバーエリア（以下、「放送エリア」と称する）を有する。即ち、エリアワンセグ送信機３０は、放送エリア内において、エリアワンセグ放送に係る放送番組（以下、「エリアワンセグ放送番組」という）を放送する。なお、放送エリアは、数１０ｍ〜数１００ｍ程度である。
【００２１】
基地局１０は、カバーエリア（以下、「基地局カバーエリア」と称する）を有する。即ち、基地局１０は、基地局カバーエリア内において、音声データ、電子メールなどの種々の情報をワンセグ受信機２０と送受信する。
【００２２】
また、基地局１０は、基地局カバーエリア内において、基地局カバーエリア内に存在する放送エリアにおいて放送されるエリアワンセグ放送番組に係る放送サービス提供情報（詳細は後述）を送信（配信）する。基地局１０は、例えば、ＢＣＭＣＳ（Ｂｒｏａｄｃａｓｔ／Ｍｕｌｔｉｃａｓｔ  Ｓｅｒｖｉｃｅｓ）のように基地局カバーエリア内の多数のワンセグ受信機２０に対しマルチキャスト／ブロードキャスト（マルチキャストは登録した特定ユーザ、ブロードキャストは全ユーザ）により一斉に放送サービス提供情報を送信する。なお、基地局１０は、予め、基地局カバーエリア内に存在する放送エリアにおいて放送されるエリアワンセグ放送番組に係る放送サービス提供情報を格納している。また、基地局１０は、基地局カバーエリアに複数の放送エリアが存在する場合には、当該複数の放送エリアに係る各放送サービス提供情報をチャンネルリストとして格納し、当該チャンネルリストをワンセグ受信機２０に送信するようにしてもよい。なお、基地局カバーエリアは、数１００ｍ〜数ｋｍ程度である。
【００２３】
基地局１０によって送信される放送サービス提供情報は、図２に示すように、サービスＩＤ、放送番組紹介情報およびチャンネル設定情報を含む。サービスＩＤは、エリアワンセグ放送番組を識別する情報（つまり、放送サービス提供情報を識別する情報）である。チャンネル設定情報は、エリアワンセグ放送番組のチャンネル設定に係る情報であって、例えば図２に示すように、エリアワンセグの使用周波数、放送局名、ネットワークＩＤ、リモコン番号から構成される。放送番組紹介情報は、エリアワンセグ放送番組の紹介情報であって、例えば図２に示すように、サービス内容・提供位置に関する情報である。
【００２４】
ワンセグ受信機２０は、基地局１０から放送サービス提供情報を受信した場合、放送サービス提供情報に含まれる放送番組紹介情報を表示する。例えば、ワンセグ受信機２０は、図３（ａ）に示すように、ディスプレイ上に放送番組紹介情報「東京駅構内でワンセグを用いた観光案内を配信中！」をスクロール表示する。なお、図３（ａ）は、待ち受け画面である。
【００２５】
また、放送番組紹介情報には、リンクが設定されているため、放送番組紹介情報において紹介されたエリアワンセグ放送番組を受信したいユーザは、ディスプレイ上の放送番組紹介情報を選択し、図３（ｂ）に示すように、当該エリアワンセグ放送番組を受信する。即ち、ワンセグ受信機２０は、放送番組紹介情報が選択された場合、当該放送番組紹介情報に対応するチャンネル設定情報（当該放送番組紹介情報を含む放送サービス提供情報に含まれるチャンネル設定情報）に基づいてエリアワンセグ放送番組を受信する。具体的には、ワンセグ受信機２０は、放送番組紹介情報が選択された場合、ワンセグ用のアプリケーション（以下、「ワンセグアプリ」という）を起動し、当該放送番組紹介情報に対応するチャンネル設定情報を反映した選局処理（例えば、該当する周波数の電波を受信するよう局部発振器の周波数をチューニングなどの処理）を行なう。なお、詳細は後述する。また、放送番組紹介情報において紹介されたエリアワンセグ放送番組を受信したくないユーザは、ディスプレイ上の放送番組紹介情報を無視すればよい。
【００２６】
なお、基地局カバーエリアに複数の放送エリアが存在する場合、基地局１０は、各放送エリアの各放送サービス提供情報を送信する（チャンネルリストとして送信してもよい）。一方、ワンセグ受信機２０は、基地局１０から各放送エリアの各放送サービス提供情報を受信し、各放送サービス提供情報に含まれる各放送番組紹介情報を順番にディスプレイに表示する。ワンセグ受信機２０は、ユーザによって何れかの放送番組紹介情報が選択された場合、当該放送番組紹介情報に対応するチャンネル設定情報（当該放送番組紹介情報を含む放送サービス提供情報に含まれるチャンネル設定情報）に基づいてエリアワンセグ放送番組を受信する。
【００２７】
また、隣接する基地局カバーエリアにまたがる放送エリアが存在する場合、当該隣接する基地局２０から同一の放送サービス提供情報を送信する。従って、当該隣接する基地局２０の何れかの基地局２０の基地局カバーエリア内であれば、当該エリアワンセグ放送番組を受信することができる。
【００２８】
なお、エリアワンセグサービスを追加する場合、追加するエリアワンセグサービスを提供する放送エリアを含む基地局カバーエリアを有する基地局２０に、当該エリアワンセグサービスに係る放送サービス提供情報を追加する。
【００２９】
図４は、ワンセグ受信機２０の機能ブロック図の一例である。ワンセグ受信機２０は、図４に示すように、携帯通信部１００（本発明の放送サービス提供情報受信部として機能する）、メモリ（記憶部）１１０、ディスプレイ１２０（本発明の放送番組紹介情報表示部として機能する）、操作受付部１３０（本発明の放送番組指定受付部として機能する）およびワンセグアプリ１４０（本発明の放送番組受信部として機能する）を備える。ワンセグアプリ１４０は、ＯＦＤＭ復調部１４２、局部発信器１４４、トランスポートストリーム処理部１４６（以下、「ＴＳ処理部」という）を備える。
【００３０】
携帯通信部１００は、無線アクセス回線（例えば、ＣＤＭＡなどの無線アクセス技術を利用した回線）を介して基地局１０から放送サービス提供情報を受信する。携帯通信部１００は、基地局１０から放送サービス提供情報を受信した場合、当該放送サービス提供情報をメモリ１１０に記憶する。なお、携帯通信部１００は、複数の放送サービス提供情報を含むチャンネルリストを受信した場合には、当該チャンネルリスト（または、当該チャンネルリストに含まれる各放送サービス提供情報）をメモリ１１０に記憶する。
【００３１】
メモリ１１０は、放送サービス提供情報を記憶する。なお、メモリ１１０に記憶される放送サービス提供情報は、所定の条件の下、削除（消去）される（詳細は後述する）。ワンセグ受信機２０が放送エリア外に移動する場合を想定し、常に有効な放送サービス提供情報のみを記憶する主旨である。
【００３２】
ディスプレイ１２０は、メモリ１１０に記憶された放送サービス提供情報に含まれる放送番組紹介情報を表示する。例えば、ワンセグ受信機２０は、所定の一定時間毎に、メモリ１１０にアクセスし、放送サービス提供情報に含まれる放送番組紹介情報をディスプレイ１２０に表示する。
【００３３】
ディスプレイ１２０に表示された放送番組紹介情報には、当該放送番組紹介情報と対応するチャンネル設定情報（当該放送番組紹介情報を含む放送サービス提供情報に含まれるチャンネル設定情報）へのリンク（例えば、当該チャンネル設定情報のメモリ１１０内におけるＵＲＩ）が設定されている。即ち、ディスプレイ１２０に表示された放送番組紹介情報を選択（例えば、クリック）した場合、メモリ１１０の一のチャンネル設定情報が特定される。
【００３４】
また、ディスプレイ１２０は、ワンセグアプリ１４０（ＴＳ処理部１４６）から、映像情報を取得する。ディスプレイ１２０は、映像情報を取得した場合、当該映像情報を表示する。
【００３５】
操作受付部１３０は、ディスプレイ１２０に表示された放送番組紹介情報によって紹介されたエリアワンセグ放送番組を指定する操作を受け付ける。具体的には、操作受付部１３０は、エリアワンセグ放送番組を指定する操作として放送番組紹介情報を選択する操作（例えば、クリック）を受け付ける。操作受付部１３０は、エリアワンセグ放送番組を指定する操作を受け付けた場合、放送番組紹介情報に設定されたリンク情報を含む起動指示をワンセグアプリ１４０に通知する。
【００３６】
ワンセグアプリ１４０は、操作受付部１３０からの起動指示によって起動する。起動したワンセグアプリ１４０は、起動指示に含まれるリンク情報に基づいてエリアワンセグ放送番組を受信する。具体的には、まず、リンク情報によって特定されるメモリ１１０内のチャンネル設定情報を取得し、ワンセグアプリ１４０の局部発振器１４４の発振周波数を、チャンネル設定情報に示される周波数の電波を受信するようチューニングする。局部発振器１４４の出力信号は、ＯＦＤＭ復号部１４２に供給される。
【００３７】
ＯＦＤＭ復調部１４２は、局部発振器１４４によってチューニングされた周波数のＯＦＤＭ信号（放送波）を受信および復調し、ＴＳ処理部１４６に供給する。ＴＳ処理部１４６は、ディスプレイ１２０に表示するエリアワンセグ放送番組の映像情報を生成し、生成した映像情報をディスプレイ１２０に供給する。
【００３８】
図５は、ワンセグ受信機２０の動作の一例を示すフローチャートである。具体的には、図５に示すフローチャートは、ワンセグ受信機２０のディスプレイ１２０にエリアワンセグ放送番組が表示されるまでの動作の一例を示すフローチャートである。なお、図５に示すフローチャートは、ワンセグ受信機２０の電源オン（ステップＳ１０）により開始するものとする。
【００３９】
ステップＳ１０に続いて、ワンセグ受信機２０は、基地局カバーエリア内にいるか否かを判断する（ステップＳ１２）。例えば、ワンセグ受信機２０は、基地局１０からビーコンを取得した場合に、基地局カバーエリア内にいると判断する。ワンセグ受信機２０は、基地局カバーエリア内にいないと判断した場合（ステップＳ１２：Ｎｏ）、基地局カバーエリア内にいると判断する迄（ステップＳ１２：Ｙｅｓ）、ステップＳ１２を繰り返す。
【００４０】
ワンセグ受信機２０は、基地局カバーエリア内にいると判断した場合（ステップＳ１２：Ｙｅｓ）、基地局から放送サービス提供情報を受信したか否かを判断する（ステップＳ１４）。ワンセグ受信機２０は、放送サービス提供情報を受信していないと判断した場合（ステップＳ１４：Ｎｏ）、ステップＳ１６、ステップＳ１８、ステップＳ２０およびステップＳ２２を飛ばして以下のステップＳ２４に進む。一方、ワンセグ受信機２０は、放送サービス提供情報を受信したと判断した場合（ステップＳ１４：Ｙｅｓ）、以下のステップＳ１６に進む。
【００４１】
ステップＳ１４（Ｙｅｓ）に続いて、ワンセグ受信機２０は、受信した当該放送サービス提供情報と同一のサービスＩＤを持つ放送サービス提供情報が、既にメモリ１１０内に記憶されているかどうかを判断する（ステップＳ１６）。ワンセグ受信機２０は、
メモリ１１０内に受信した放送サービス提供情報と同一のサービスＩＤを持つ放送サービス提供情報を記憶していると判断した場合（ステップＳ１６：Ｙｅｓ）、当該サービスＩＤの放送サービス提供情報に対する監視タイマー値をクリアし（ステップＳ１８）、ステップＳ２４に進む。一方、ワンセグ受信機２０は、メモリ１１０内に受信した放送サービス提供情報と同一のサービスＩＤを持つ放送サービス提供情報を記憶していないと判断した場合（ステップＳ１６：Ｎｏ）、当該放送サービス提供情報をメモリ１１０に記憶し（ステップＳ２０）、さらに当該サービスＩＤの放送サービス提供情報の監視タイマーを起動し（ステップＳ２２）、ステップＳ２４に進む。
【００４２】
ステップＳ１４（Ｎｏ）、ステップＳ１８またはステップＳ２２に続いて、ワンセグ受信機２０は、監視タイマー値が閾値以上の放送サービス提供情報があるか否かを判断する（ステップＳ２４）。ワンセグ受信機２０は、監視タイマー値が閾値以上の放送サービス提供情報があると判断した場合（ステップＳ２４：Ｙｅｓ）、当該放送サービス提供情報を削除する（ステップＳ２６）。一方、監視タイマー値が閾値以上の放送サービス提供情報がないと判断した場合（ステップＳ２４：Ｎｏ）、ステップＳ２６を飛ばして以下のステップＳ２８に進む。
【００４３】
ステップＳ２４（Ｎｏ）またはステップＳ２６に続いて、ワンセグ受信機２０は、メモリ１１０内に放送サービス提供情報が記憶されているか否かを判断する（ステップＳ２８）。ワンセグ受信機２０は、メモリ１１０内に放送サービス提供情報が記憶されていると判断した場合（ステップＳ２８：Ｙｅｓ）、メモリ１１０内の放送番組紹介情報をスクロール表示する（ステップＳ３０）。一方、ワンセグ受信機２０は、メモリ１１０内に放送サービス提供情報が記憶されていないと判断した場合（ステップＳ２８：Ｎｏ）、ステップＳ１２に戻る。
【００４４】
ステップＳ３０に続いて、ワンセグ受信機２０は、スクロール表示中の放送番組紹介情報が選択されたか否かを判断する（ステップＳ３２）。ワンセグ受信機２０は、スクロール表示中の放送番組紹介情報が選択されていないと判断した場合（ステップＳ３２：Ｎｏ）、ステップＳ１２に戻る。一方、ワンセグ受信機２０は、スクロール表示中の放送番組紹介情報が選択されたと判断した場合（ステップＳ３２：Ｙｅｓ）、ワンセグアプリを起動する（ステップＳ３４）。ワンセグアプリ１４０を起動したワンセグ受信機２０は、ステップＳ３２において選択された放送番組紹介情報に対応するチャンネル設定情報（当該放送番組紹介情報を含む放送サービス提供情報に含まれるチャンネル設定情報）の周波数の電波を受信するよう周波数をチューニングし（ステップＳ３６）、チューニングした周波数でエリアワンセグの放送波の受信を開始する（ステップＳ３８）
【００４５】
ワンセグ受信機２０は、チューニングした周波数でエリアワンセグ放送番組を受信できたか否かを判断する（ステップＳ４０）。ワンセグ受信機２０は、エリアワンセグ放送番組を受信できたと判断した場合（ステップＳ４０：Ｙｅｓ）、当該エリアワンセグ放送番組の映像をディスプレイ１２０に表示する（ステップＳ４２）。即ち、ワンセグ受信機２０は、当該エリアワンセグ放送番組の映像・音声・データなどをデコードして表示する。そして、本フローチャートは終了する。
【００４６】
一方、ワンセグ受信機２０は、エリアワンセグ放送番組を受信できないと判断した場合（ステップＳ４０：Ｎｏ）、現在位置ではエリアワンセグ放送番組を受信できない旨を表示し（ステップＳ４４）、更に、サービス提供場所に係る情報を提示する（ステップＳ４６）。例えば、ワンセグ受信機２０は、サービス提供場所を文字や地図によって表示し、または、サービス提供場所を音声によって出力する。そして、本フローチャートは終了する。
【００４７】
図５に示すフローチャートを補足する。ワンセグ受信機２０は、ステップＳ２２において監視タイマーを起動するが、具体的には例えば、ワンセグ受信機２０は、メモリ１１０に記憶されている放送サービス提供情報毎に記憶開始からの経過時刻をタイマーによりカウントアップしてもよい。また例えば、ワンセグ受信機２０は、監視タイマーを起動する処理に代えて、単に、各放送サービス提供情報がメモリ１１０に記憶された時刻を記憶してもよい。なお、ワンセグ受信機２０は、当該記憶時刻を記憶する場合には、ステップＳ１８において監視タイマー値をクリアする処理に代えて、当該記憶時刻を更新するようにすればよい。
【００４８】
なお、ステップＳ４４およびステップＳ４６は、放送サービス提供情報を受信できるものの、エリアワンセグの電波が届かない所にワンセグ受信機２０が位置している場合の処理である。なお、ワンセグ受信機２０は、サービス提供場所に係る情報を提示することに代えてまたは加えて、サービス提供場所への誘導情報など提示するようにしてもよい。
【００４９】
以下、ワンセグ受信機２０が基地局カバーエリア間を移動する場合（ワンセグ受信機２０を収容する基地局１０が変化する場合）に、メモリ１１０に記憶されるチャンネル設定情報の変化について説明する。図６は、基地局カバーエリア間移動時におけるメモリ１１０内のチャンネル設定情報の変化について説明するための図である。なお、図６の例において、ワンセグ受信機２０は、基地局１０ａの基地局カバーエリア内であって基地局１０ｂの基地局カバーエリア外である位置（位置Ｓ）から、基地局１０ａと基地局１０ｂの両方の基地局カバーエリアである位置（位置Ｔ）に移動し、更に、基地局１０ａの基地局カバーエリア外であって基地局１０ｂの基地局カバーエリア内である位置（位置Ｕ）に移動するものとする。また、基地局１０ａの基地局カバーエリア内でのみサービスＩＤ「０００１」のエリアワンセグサービスがマルチキャスト／ブロードキャストによって提供され、基地局１０ｂの基地局カバーエリア内でのみサービスＩＤ「０００２」のエリアワンセグサービスがマルチキャスト／ブロードキャストによって提供されているものとする。
【００５０】
位置Ｓにおいてワンセグ受信機２０は、基地局１０ａからサービスＩＤ「０００１」の放送サービス提供情報を一定時間間隔で受信する。従って、位置Ｓにおいてワンセグ受信機２０は、サービスＩＤ「０００１」の放送サービス提供情報をメモリ１１０に記憶する。
【００５１】
なお、ワンセグ受信機２０は、最初に（一旦）、サービスＩＤ「０００１」の放送サービス提供情報をメモリ１１０に記憶した後は、引き続き一定時間間隔で受信するサービスＩＤ「０００１」の放送サービス提供情報をするが、引き続き一定時間間隔で受信する放送サービス提供情報のサービスＩＤ「０００１」とメモリ１１０に記憶している放送サービス提供情報のサービスＩＤ「０００１」とが一致するため、サービスＩＤ「０００１」の放送サービス提供情報を保持する（記憶し続ける）。
【００５２】
ワンセグ受信機２０は、位置Ｓから位置Ｔに移動した場合、基地局１０ａからのサービスＩＤ「０００１」の放送サービス提供情報に加えて、基地局１０ｂからのサービスＩＤ「０００２」の放送サービス提供情報も一定時間間隔で受信し始める。従って、ワンセグ受信機２０は、メモリ１１０に記憶している放送サービス提供情報のサービスＩＤ「０００１」と異なるサービスＩＤ「０００２」の放送サービス提供情報を受信したため、当該異なるサービスＩＤ「０００２」の放送サービス提供情報をメモリ１１０に記憶する（追加記憶する）。
【００５３】
ワンセグ受信機２０は、位置Ｔから位置Ｕに更に移動した場合、基地局１０ｂからサービスＩＤ「０００１」の放送サービス提供情報は引き続き一定時間間隔で受信するものの、基地局１０ａからサービスＩＤ「０００１」の放送サービス提供情報を受信しなくなる。その結果、ワンセグ受信機２０は、サービスＩＤ「０００２」の放送サービス提供情報についてはメモリ１１０に保持するものの、サービスＩＤ「０００１」の放送サービス提供情報についてはメモリ１１０に保持しなくなる（タイマー値が閾値以上となり消去される）。
【００５４】
以上、本実施形態によれば、今いる場所はエリアワンセグサービスを提供している場所であるとユーザに簡便に報知することができる。つまり、基地局１０が、放送サービス提供情報を送信することによって、放送サービス提供情報に含まれる放送番組紹介情報が移動局の画面上に表示されるため、ユーザは、今いる場所はエリアワンセグサービスを提供している場所であると認識することができる。また、ユーザによるチャンネル設定作業を十分に簡素化することができる。つまり、ユーザは、画面上に表示された放送番組紹介情報によって紹介されたエリアワンセグ放送番組を指定（例えばクリック1回）するだけで、当該エリアワンセグ放送番組に係るチャンネル設定情報に基づいて当該エリアワンセグ放送番組を受信することができる。更に、放送番組紹介情報をユーザが選択しなければ、不要なバックグラウンド処理（チャンネル設定機能）が動作しなくなるため、電力消費を抑えることができる。
【００５５】
図７は、本発明の他の実施形態による無線通信システム２の模式図である。放送サービス提供システム２は、図７に示すように、基地局１２、ワンセグ受信機２０およびサーバ４０（本発明の会員情報記憶装置に相当する）から構成される。サーバ４０は、放送サービス提供情報を受信する会員に係る会員情報を記憶する。基地局１２は、図１に示す基地局１０の機能に加え、サーバ４０に記憶された会員情報を参照し、会員の使用するワンセグ受信機２０にユニキャストによって当該基地局カバーエリア内の放送サービス提供情報を送信する機能を有する。即ち、放送サービス提供システム２においては、放送サービス提供情報の提供を希望するユーザをあらかじめ登録しておき、基地局が管理する当該ユーザの位置情報を利用して、エリアワンセグサービスが提供されているエリア内に入ったときにチャンネル設定情報をメール等でユニキャスト配信する。なお、サーバ４０は、例えば、基地局が接続する網内に設置する。
【００５６】
以上、この発明の実施形態について図面を参照して詳述してきたが、具体的な構成はこの実施形態に限られるものではなく、この発明の要旨を逸脱しない範囲の設計等も含まれる。
【符号の説明】
【００５７】
１、２  無線通信システム  １０、１２  基地局  ２０  ワンセグ受信機（移動局）  ３０  エリアワンセグ送信機  ４０  サーバ（会員情報記憶装置）  １００  携帯通信部（放送サービス提供情報受信部）  １１０  メモリ（記憶部）  １２０  ディスプレイ（放送番組紹介情報表示部）、１３０  操作受付部（放送番組指定受付部）  １４０  ワンセグアプリ（放送番組受信部）  １４２  ＯＦＤＭ復調部  １４４  局部発信器  １４６  トランスポートストリーム処理部
【図１】
2010166153.tif 000003
【図２】
2010166153.tif 000004
【図３】
2010166153.tif 000005
【図４】
2010166153.tif 000006
【図５】
2010166153.tif 000007
【図６】
2010166153.tif 000008
【図７】
2010166153.tif 000009